(57)【要約】【課題】電線と接触子との接続信頼性の低下を抑制できるコネクタを提供する。【解決手段】本発明に係るコネクタ１は、芯線１１及び被覆層１２を有する電線１０と基板の回路接続部とを接続するものであって、電線１０を保持する電線ホルダー２０と、電線ホルダー２０に保持された電線１０に接続されて基板の回路接続部に接続可能な接触子３０とを備える。電線１０は、被覆層１２が先端箇所を残して一部の領域が剥ぎ取られて芯線１１が露出されている。電線ホルダー２０は、芯線１１が露出された箇所の両側の被覆層１２をそれぞれ保持する一対の保持部２０Ａと、一対の保持部２０Ａの間に設けられ、露出された芯線１１が配置される芯線露出スペース２０Ｂとを備える。接触子３０は、芯線露出スペース２０Ｂに配置された芯線１１と接続される。【選択図】図１
2014086289.tif 000002
【特許請求の範囲】
【請求項１】
芯線及び被覆層を有する電線と、基板の回路接続部とを接続するコネクタであって、
前記電線を保持する電線ホルダーと、前記電線ホルダーに保持された前記電線に接続されて前記基板の前記回路接続部に接続可能な接触子とを備え、
前記電線は、前記被覆層が先端箇所を残して一部の領域が剥ぎ取られて前記芯線が露出されており、
前記電線ホルダーは、前記芯線が露出された箇所の両側の前記被覆層をそれぞれ保持する一対の保持部と、一対の前記保持部の間に設けられ、露出された前記芯線が配置される芯線露出スペースとを備え、
前記接触子は、前記芯線露出スペースに配置された前記芯線と接続されることを特徴とするコネクタ。
【請求項２】
請求項１に記載のコネクタであって、
前記芯線露出スペースは、前記電線ホルダーの上下に開口していることを特徴とするコネクタ。
【発明の詳細な説明】
【技術分野】
【０００１】
本発明は、電線と基板の回路接続部とを接続するコネクタに関する。
【背景技術】
【０００２】
従来から、電線と基板の回路接続部（回路パターン）とを接続するコネクタ（基板用電線接続構造）について、様々な提案がなされている（例えば、特許文献１参照）。この種のコネクタの一例について、図５〜図７を参照しながら説明する。
【０００３】
図５〜図７に示すように、コネクタ１００は、複数の電線１１０を保持する電線ホルダー１２０と、電線ホルダー１２０に保持された電線１１０に接続されて基板の回路接続部（不図示）に接続可能な接触子１３０とを備えている。
【０００４】
各電線１１０は、芯線１１１と、芯線１１１を被覆する被覆層１１２とによって構成されている。芯線１１１は、被覆層１１２が電線１１０の先端箇所で剥ぎ取られることによって露出されている（いわゆる、剥き出し状態となっている）。
【０００５】
電線ホルダー１２０には、電線１１０が挿入される円形状の挿入孔１２１が形成されている。挿入孔１２１は、電線１１０の被覆層１１２の外径とほぼ同一の径で形成されている。この挿入孔１２１への電線１１０の挿入により電線１１０が電線ホルダー１２０に保持される。
【０００６】
接触子１３０は、基板の回路接続部と接触する基板側接触部１３１と、芯線１１１と接触する芯線側接触部１３２とを備えている。芯線側接触部１３２は、電線１１０の先端箇所で露出された芯線１１１と半田付けや溶接等によって固定されている。
【先行技術文献】
【特許文献】
【０００７】
【特許文献１】特開２００９−３７７７３号公報
【発明の概要】
【発明が解決しようとする課題】
【０００８】
しかしながら、上述した従来のコネクタ１００では、芯線１１１が電線１１０の先端箇所で露出されている（剥き出し状態となっている）ため、接触子１３０の芯線側接触部１３２と芯線１１１との固定時に、芯線１１１（例えば、複数本の導電線）がばらけてしまう。このため、芯線１１１と接触子１３０との接続が不安定となり、電線１１０と接触子１３０との接続信頼性が低下するおそれがあった。
【０００９】
そこで、本発明は、上述した課題を解決すべくなされたものであり、電線と接触子との接続信頼性の低下を抑制できるコネクタの提供を目的とする。
【課題を解決するための手段】
【００１０】
上述した課題を解決するため、本発明は、次のような特徴を有している。まず、本発明の特徴は、芯線及び被覆層を有する電線と、基板の回路接続部とを接続するコネクタであって、前記電線を保持する電線ホルダーと、前記電線ホルダーに保持された前記電線に接続されて前記基板の前記回路接続部に接続可能な接触子とを備え、前記電線は、前記被覆層が先端箇所を残して一部の領域が剥ぎ取られて前記芯線が露出されており、前記電線ホルダーは、前記芯線が露出された箇所の両側の前記被覆層をそれぞれ保持する一対の保持部と、一対の前記保持部の間に設けられ、露出された前記芯線が配置される芯線露出スペースとを備え、前記接触子は、前記芯線露出スペースに配置された前記芯線と接続されることを要旨とする。
【００１１】
その他の特徴としては、前記芯線露出スペースは、前記電線ホルダーの上下に開口しているものであってもよい。
【発明の効果】
【００１２】
本発明の特徴によれば、被覆層が電線の先端箇所を残して一部の領域が剥ぎ取られて芯線が露出される、言い換えると、芯線が電線の先端箇所で剥き出し状態とならない。そして、芯線が露出された箇所の両側の被覆層が一対の保持部によって保持されて、芯線露出スペースに配置された芯線と接触子とが接触する。このため、芯線が電線の先端箇所でばらけてしまうことを防止でき、電線と接触子との接続信頼性の低下を抑制できる。
【図面の簡単な説明】
【００１３】
【図１】図１は、本実施形態に係るコネクタを示す斜視図である。
【図２】図２は、本実施形態に係るコネクタを示す斜視図（接触子を省略）である。
【図３】図３は、図１のＡ−Ａの断面図である。
【図４】図４は、図２のＢ矢視図である。
【図５】図５は、背景技術に係るコネクタを示す斜視図である。
【図６】図６は、背景技術に係るコネクタ（接触子を省略）を示す斜視図である。
【図７】図７は、図５のＺ−Ｚの断面図である。
【発明を実施するための形態】
【００１４】
次に、本発明に係るコネクタの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１５】
（コネクタの構成）
まず、本実施形態に係るコネクタ１の構成について、図面を参照しながら説明する。図１は、本実施形態に係るコネクタ１を示す斜視図である。図２は、本実施形態に係るコネクタ１を示す斜視図（接触子３０を省略）である。図３は、図１のＡ−Ａの断面図である。図４は、図２のＢ矢視図である。
【００１６】
図１〜図４に示すように、コネクタ１は、基板上に設けられた相手側コネクタと嵌合するものである。このコネクタ１は、芯線１１及び被覆層１２を有する複数（図面では３本）の電線１０と、不図示の基板上に設けられた相手側コネクタ内の回路接続部としての相手側接触子とを接続している。
【００１７】
電線１０は、被覆層１２が電線１０の先端箇所を残して一部の領域が剥ぎ取られて芯線１１が露出されている。具体的には、電線１０は、被覆層１２により芯線１１が被覆された電線本体部１０Ａと、電線本体部１０Ａよりも電線１０の先端側（先端箇所）に設けられて被覆層１２により芯線１１が被覆された電線先端部１０Ｂと、電線本体部１０Ａと電線先端部１０Ｂとの間に設けられて被覆層１２が剥ぎ取られることによって芯線１１が露出された中間露出部１０Ｃとによって構成されている。
【００１８】
コネクタ１は、電線１０を保持する電線ホルダー２０と、電線ホルダー２０に保持された電線１０に接続されて相手側コネクタ内の相手側接触子（不図示）に接続可能な接触子３０とを備えている。なお、電線ホルダー２０及び接触子３０は、コネクタハウジング（不図示）内に設けられているものとする。
【００１９】
電線ホルダー２０は、複数の電線１０を横一列に整列した状態で該電線１０を保持している。電線ホルダー２０は、芯線１１が露出された中間露出部１０Ｃの両側の被覆層１２（すなわち、電線本体部１０Ａ及び電線先端部１０Ｂ）をそれぞれ保持する一対の保持部２０Ａと、一対の保持部２０Ａの間に設けられ、中間露出部１０Ｃで露出された芯線１１が配置される芯線露出スペース２０Ｂとを備えている。
【００２０】
一対の保持部２０Ａは、電線本体部１０Ａを保持する本体保持部２１と、を電線先端部１０Ｂを保持する先端保持部２２とによって形成されている。
【００２１】
本体保持部２１及び先端保持部２２には、電線１０が挿入される円形状の挿入孔２１Ａ，２２Ａ（図３参照）がそれぞれ形成されている。挿入孔２１Ａ，２２Ａは、電線１０の被覆層１２の外径とほぼ同一の径で形成されている。この挿入孔２１Ａ，２２Ａへ電線１０の挿入により電線１０が電線ホルダー２０に保持される。
【００２２】
先端保持部２２の挿入孔２２Ａの下側には、接触子３０（後述する芯線側接触部３２）が入り込む切欠き溝２２Ｂが形成されている。切欠き溝２２Ｂの幅は、接触子３０の芯線側接触部３２の幅よりも大きく形成されている（図１参照）。
【００２３】
このような本体保持部２１及び先端保持部２２は、互いに離間されており、連結部２３を介して一体形成されている。つまり、本体保持部２１、先端保持部２２及び連結部２３は、平面視（図４参照）において略矩形状の枠体によって構成されており、内部に芯線露出スペース２０Ｂが設けられている。
【００２４】
芯線露出スペース２０Ｂは、本体保持部２１と先端保持部２２と連結部２３との間に設けられており、電線ホルダー２０の上下に開口している。この芯線露出スペース２０Ｂ内では、中間露出部１０Ｃで露出された芯線１１と接触子３０（後述する芯線側接触部３２）とが接触するようになっている。
【００２５】
接触子３０は、芯線露出スペース２０Ｂに配置された芯線１１（すなわち、中間露出部１０Ｃで露出された芯線１１）と接続され、相手側コネクタ内の相手側接触子（不図示）に接続可能である。
【００２６】
接触子３０は、相手側コネクタ内の相手側接触子（不図示）と接触する基板側接触部３１と、中間露出部１０Ｃで露出された芯線１１と接触する芯線側接触部３２とを備えている。芯線側接触部３２は、略Ｌ字状に折り曲げられており、中間露出部１０Ｃで露出された芯線１１と半田付けや溶接等によって固定されている。
【００２７】
（作用・効果）
以上説明した本実施形態では、被覆層１２が電線１０の先端箇所を残して一部の領域が剥ぎ取られて芯線１１が露出される、言い換えると、芯線１１が電線１０の先端箇所で剥き出し状態とならない。そして、芯線１１が露出された箇所の両側の被覆層１２が一対の保持部２０Ａによって保持されて、芯線露出スペース２０Ｂに配置された芯線１１と接触子３０とが接触する。このため、芯線１１が電線１０の先端箇所でばらけてしまうことを防止でき、電線１０と接触子３０との接続信頼性の低下を抑制できる。
【００２８】
本実施形態では、芯線露出スペース２０Ｂが電線ホルダー２０の上下に開口していることによって、芯線露出スペース２０Ｂに配置された芯線１１に接触子３０を固定する際、芯線露出スペース２０Ｂ内を目視し易くなり、半田付けや溶接等の作業性が向上する。
【００２９】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００３０】
例えば、本発明の実施形態は、次のように変更することができる。具体的には、コネクタ１は、上述した実施形態に限定されるものではなく、電線１０や接触子３０、電線ホルダー２０については、実施形態で説明したものに限らずに他の形状や構成であってもよい。
【００３１】
また、コネクタ１は、不図示の基板上に設けられた相手側コネクタと嵌合するものとして説明したが、これに限定されるものではなく、電線１０と基板の回路接続部とを接続するものであればよい。例えば、接触子３０の基板側接触部３１は、基板を直接挟持して該基板の回路接続部としての回路パターンと接続されるものであってもよい。
【００３２】
また、芯線露出スペース２０Ｂが電線ホルダー２０の上下に開口しているものとして説明したが、これに限定されるものではなく、電線ホルダー２０の上下の何れか一方に開口されていてもよく、電線ホルダー２０の側方（少なくとも一つの側面）に開口されていてもよい。
【００３３】
また、電線ホルダー２０は、本体保持部２１と、先端保持部２２と、連結部２３とが一体に形成されるものとして説明したが、これに限定されるものではなく、本体保持部２１と連結部２３とが一体で先端保持部２２のみが別体であってもよく、先端保持部２２と連結部２３とが一体で本体保持部２１のみが別体であってもよく、全てが別体であってもよい。
【００３４】
また、電線ホルダー２０では、本体保持部２１の挿入孔２１Ａや先端保持部２２の挿入孔２２Ａに電線１０が挿入されるものとして説明したが、これに限定されるものではない。例えば、電線ホルダー２０が上下２分割するものであってもよい。この場合、一方のホルダー半体（例えば、下側のホルダー）の挿入孔２１Ａ，２２Ａに電線１０を載置して、他方のホルダー半体（例えば、上側のホルダー）を被せることで、電線１０の組付作業性を向上できる。
【００３５】
また、接触子３０（芯線側接触部３２）は、中間露出部１０Ｃにおける芯線１１と半田付けや溶接等によって固定されるものとして説明したが、これに限定されるものではなく、その他の方法により固定されてもよい。
【００３６】
例えば、切欠き溝２２Ｂの幅が接触子３０の芯線側接触部３２の幅とほぼ同一の場合には、先端保持部２２の切欠き溝２２Ｂに圧入固定されるものであってもよい。なお、上述した実施形態では、切欠き溝２２Ｂの深さについては触れていないが、この切欠き溝２２Ｂの深さが接触子３０の芯線側接触部３２の厚さとほぼ同一の場合には、電線ホルダー２０の下面と接触子３０の芯線側接触部３２とが面一にできる。
【００３７】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００３８】
１…コネクタ
１０…電線
１０Ａ…電線本体部
１０Ｂ…電線先端部
１０Ｃ…中間露出部
１１…芯線
１２…被覆層
２０…電線ホルダー
２０Ａ…保持部
２０Ｂ…芯線露出スペース
２１…本体保持部
２２…先端保持部
２３…連結部
３０…接触子
３１…基板側接触部
３２…芯線側接触部
【図１】
2014086289.tif 000003
【図２】
2014086289.tif 000004
【図３】
2014086289.tif 000005
【図４】
2014086289.tif 000006
【図５】
2014086289.tif 000007
【図６】
2014086289.tif 000008
【図７】
2014086289.tif 000009